(57)【要約】【課題】本発明は、小型で持ち歩き可能であるにも拘わらず、放熱機能をも備え、中長時間の使用にも耐えうる携帯Ｘ線管検査装置を提供しようとする。【解決手段】本発明の提供する携帯Ｘ線検査装置は、Ｘ線管を封入するＸ線バルブと、前記Ｘ線バルブを内部に支持するハウジングと、を具備する携帯Ｘ線検査装置であって、前記ハウジングの内面と前記Ｘ線バルブの外面の間に通風隙間を形成する。通風隙間に送風する送風機をハウジングの内部に設置した。【選択図】  図１
2004319299.tif 000002
【特許請求の範囲】
【請求項１】
Ｘ線管を封入するＸ線バルブと、
前記Ｘ線バルブを内部に支持するハウジングと、
を具備する携帯Ｘ線検査装置であって、
前記ハウジングの内面と前記Ｘ線バルブの外面の間に通風隙間を形成した携帯Ｘ線検査装置。
【請求項２】
前記ハウジングの少なくとも一方の端面に前記通風隙間と通ずる開口部を設けた請求項１に記載の携帯Ｘ線検査装置。
【請求項３】
前記通風隙間に送風する送風機を前記ハウジングの内部に形成した、請求項１又は２に記載の携帯Ｘ線検査装置。
【請求項４】
前記通風隙間及び／又は前記開口部にフィンを設けた、請求項１乃至３に記載の携帯Ｘ線検査装置。
【発明の詳細な説明】
【０００１】
【発明の属する技術分野】
本発明は、熱放出性に優れ、小型で持運び可能な携帯Ｘ線管検査装置に関する。
【０００２】
【従来の技術】
Ｘ線は、主に高速で動く電荷が急に減速した時に発生し、真空中又は固体を伝搬してエネルギーを運ぶ電磁波の一種である。Ｘ線管においては、陰極からターゲットとよばれる陽極に電子を衝突させてＸ線を発生させる。
【０００３】
Ｘ線管を収容したＸ線検査装置は、様々な用途に用いられるが、対象物、例えば水道管等にＸ線を照射し、内部に亀裂、異物等がないか検査するためにも用いられる。このような場合、Ｘ線検査装置を持運んで水道管等を検査できると非常に便利であるため、小型で持運び可能な携帯Ｘ線検査装置が開発されている。
【０００４】
図３に示すように、Ｘ線管を収容する携帯Ｘ線検査装置１１０はマイクロプロセッサ−制御器１５０と制御ケーブル１５２により接続され、使用される。マイクロプロセッサ−制御器１５０は、携帯Ｘ線検査装置１１０のＸ線放射量等の制御を行なう。
【０００５】
図４は携帯Ｘ線検査装置の構造の概略図である。携帯Ｘ線検査装置１１０は、Ｘ線管１１２を封入するＸ線バルブ１１６と、携帯Ｘ線検査装置１１０の端部に取り付けられる蓋１２４を含んで構成される。Ｘ線管１１２は、高圧電圧導入部１２２を介してＸ線バルブ１１６に支持される。
【０００６】
ハウジング１２０は、アルミ合金製のＸ線バルブ１１６を通してＸ線が漏洩しないように、Ｘ線バルブ１１６表面に鉛を巻いて形成される携帯Ｘ線検査装置１１０全体の外部容器をいう。Ｘ線管１１２の側部には、Ｘ線管１１２から放射するＸ線を取り出す窓１１３が形成されている。また、ハウジング１２０の側部にも窓１１３に対応して、携帯Ｘ線検査装置１１０からＸ線を外部に取り出す窓が形成される。
【０００７】
一般に、Ｘ線管１１２が発生させるＸ線の発生効率は非常に悪く、電子のエネルギーの１パーセント程度がＸ線エネルギーに変換されるにすぎない。残りのエネルギーはＸ線管のターゲットの熱エネルギーとなる。
【０００８】
このターゲットで発生する熱は、Ｘ線管の効率と寿命に大きな影響を与える。従って、従来より、Ｘ線管を如何に冷却するかが大きなＸ線検査装置の設計上の課題となっており、様々な冷却システムが考案されている。
【０００９】
例えば、Ｘ線バルブ１１６の内部には絶縁油１１４がＸ線管１１２の周りに満たされており、Ｘ線管１１２の発する熱を吸収する。又、Ｘ線検査装置の外部に強制冷却用のファン等を設けてＸ線検査装置と接続し、Ｘ線検査装置の内部の空気を循環させてＸ線検査装置内部を冷却する。同様に、外部に熱交換器を設けてＸ線検査装置と接続し、絶縁油１１４を循環させてＸ線検査装置内部を冷却することも行なわれている。これらは何れも公知の冷却システムである。
【００１０】
ハウジングの内部に液体窒素を封入した冷却部を備えたＸ線検査装置が、下記の特許文献１に公開されている。Ｘ線管で発生する熱を冷却部に伝導し、冷却部内部の液体窒素により効率的にＸ線管内部の温度上昇を防ごうというものである。
【００１１】
しかし、これらの冷却用の装置は、医療用等に使用される等、大型のＸ線管に用いられる冷却システムである。また、持運び用の携帯Ｘ線検査装置に液体窒素等の冷却液を封入するのは、温度維持、重量等の観点から現実的ではない。
【００１２】
即ち、持ち歩き可能な、配管検査等に用いられる小型のＸ線管用の冷却装置は、ほとんど開発されていない。そのため携帯Ｘ線検査装置は連続使用により熱が発生し、又絶縁油１１４は熱しやすく冷めにくいため、再度使用するまで相当の時間がかかった。また、使用により発生する熱のために内蔵するＸ線管１１２の寿命も短かった。
【００１３】
【特許文献１】
特開平７−３３５３８９
【００１４】
【発明が解決しようとする課題】
そこで本発明は、小型で持ち歩き可能であるにも拘わらず、放熱機能をも備え、中長時間の使用にも耐えうる携帯Ｘ線管検査装置を提供することを目的とする。
【００１５】
【課題を解決するための手段】
本発明の提供する携帯Ｘ線検査装置は、Ｘ線管を封入するＸ線バルブと、前記Ｘ線バルブを内部に支持するハウジングと、を具備する携帯Ｘ線検査装置であって、前記ハウジングの内面と前記Ｘ線バルブの外面の間に通風隙間を形成する。
【００１６】
本発明の提供する携帯Ｘ線検査装置は、前記ハウジングの少なくとも一方の端面に前記通風隙間と通ずる開口部を設けてもよい。
【００１７】
本発明の提供する携帯Ｘ線検査装置は、前記通風隙間に送風する送風機を前記ハウジングの内部に形成し得る。
【００１８】
本発明の提供する携帯Ｘ線検査装置は、前記通風隙間及び／又は前記開口部にフィンを設けてもよい。
【００１９】
【発明の実施の形態】
図１を用いて、本発明の携帯Ｘ線検査装置を説明する。携帯Ｘ線検査装置１０は、ハウジング２０内にＸ線バルブ１６と、Ｘ線バルブ１６に高圧電圧導入部２２を介して支持されるＸ線管１２と、ハウジング２０の端部表面に取り付けられる蓋２４と、蓋２４とは反対側の端部に設置されるＸ線管ベローズ１８とを含んで構成される。Ｘ線バルブ１６内部は絶縁油１４で満たされ、Ｘ線管１２が稼働時に発生する熱を吸収する。ベローズ１８は蛇腹形状で伸縮し、Ｘ線バルブ１６と空気を介して熱交換を行なう。
【００２０】
上記構成は、従来の携帯Ｘ線検査装置１１０と略同様である。しかし、図４（ｂ）に示すように、従来の携帯Ｘ線検査装置１１０の正面は一般に円形状である。略円筒上のアルミ合金性のＸ線バルブ１１６に、直接、Ｘ線遮断用の鉛等を巻いてハウジング１２０を形成している。
【００２１】
本発明の携帯Ｘ線検査装置は、図１（ａ）、（ｂ）に示すように、蓋２４を端部表面とする円筒状のＸ線バルブ１６を四角柱状の枠部であるハウジング２０が支持し、通風隙間５をＸ線バルブ１６とハウジング２０の間に形成する。従ってＸ線バルブ１６の端部に取り付ける蓋２４とハウジング２０の間には、通風隙間５の出入口となる開口部４が形成される。この開口部４を通じて空気が出入りし、通風隙間５を介してＸ線放射により熱せられたＸ線バルブ１６を冷却することができる。
【００２２】
更に本発明の携帯Ｘ線検査装置は、蓋２４とは対面の端部に送風機３が設置される。送風機３は内部に、例えばファン２を設置する。また、送風機３は両端部を通気性がよい、例えば網状の覆いでカバーして、吸気口及び送風口とする。
【００２３】
ファン２を回転させて送風機３から発生した風は、通風隙間５を通って開口部４から排気される。この送風により、通風隙間５においてＸ線放射により熱せられたＸ線バルブ１６を冷却することができる。
【００２４】
図２は、図１のＡ−Ａ断面図である。開口部４及び／又は通風隙間５に、図２（ｂ）に示すようにフィン６を多数取り付けてもよい。フィン６により、送風機３による送風に接触する面積が増し、冷却効果が増加する。
【００２５】
ハウジング２０の内部に温度センサーを設置し、マイクロプロセッサ−制御器がＸ線バルブ１６等の温度を検知して、送風機３の送風量を制御するようにしてもよい。これにより電力の省エネルギー化を図ることができる。
【００２６】
送風機３は、小型のものがハウジング２０の内部に複数個設置されてもよい。フィン６が直接ハウジング２０の内部に設置されてもよい。設置場所はハウジング２０の端部に限定されず、ハウジング２０の形状に応じて、側部等に取り付けてもよい。
【００２７】
また、送風機３は外部からの取付け式であってもよい。ハウジング２０の蓋２４と対面する端部に、蓋又は送風機３を選択して取付け可能にする。季節又は使用時間等により、蓋又は送風機３を選択して携帯Ｘ線検査装置を使用することができる。
【００２８】
上記実施形態における携帯Ｘ線検査装置のハウジング２０は、四角柱状の枠部であったが、多角柱状あるいは円筒状であってもよい。Ｘ線バルブ１６を内部に支持し、Ｘ線バルブ１６との間に通風隙間５を形成できれば、特にハウジング２０の形状は特定されない。
【００２９】
従って通風隙間５の形状も上記実施形態の形状には限定されない。又、開口部４の個数、形状も特に限定されない。特に、開口部４の形状は、通風隙間５の形状にも適合する必要がない。開口部４にスライド式のドアを取り付けて、発生させるＸ線の量により開口部４の開口面積を調節するようにしてもよい。あるいは蓋２０に更に蓋を取り付け可能にし、開口部４の開口面積を調節してもよい。
【００３０】
また、開口部４及び／又は通風隙間５に設けられるフィン６の形状、個数、位置も特に限定されない。
【００３１】
その他、本発明は、その主旨を逸脱しない範囲で当業者の知識に基づき種々の改良、修正、変更を加えた態様で実施できるものである。
【００３２】
【発明の効果】
本発明の携帯Ｘ線検査装置は、通風隙間をＸ線バルブ１６とハウジング２０の間に設け、ハウジング２０の端部に開口部４を形成したので、Ｘ線放射により発生してＸ線バルブ１６の持った熱を携帯Ｘ線検査装置の外部に逃がすことができる。
【００３３】
更に、本発明の携帯Ｘ線検査装置は、開口部４と対面のハウジング２０内部にファン２等の送風機３を１個以上設置したので、送風機３が発生した風をＸ線バルブ１６の外面を通して開口部４から逃がすことにより、Ｘ線バルブ１６を効果的に冷却することができる。
【００３４】
更に、本発明の携帯Ｘ線管検査装置は、開口部４に複数のフィン６を設けたので、送風機３の送る風とハウジング２０又はＸ線バルブ１６等が接触する面積が増え、より効果的に携帯Ｘ線管検査装置を冷却することができる。
【００３５】
以上のように、本発明の携帯Ｘ線管検査装置は、小型で持ち歩き可能であるにも拘わらず、放熱機能をも備え、長時間の使用にも耐えることができる。
【図面の簡単な説明】
【図１】（ａ）本発明の携帯Ｘ線検査装置の断面概略図。
（ｂ）本発明の携帯Ｘ線検査装置の正面概略図。
【図２】（ａ）図１（ａ）においてＡ−Ａ切断面で携帯Ｘ線検査装置を切ったときの携帯Ｘ線検査装置の断面図。
（ｂ）図１（ｂ）においてＡ−Ａ切断面で携帯Ｘ線検査装置を切ったときの携帯Ｘ線検査装置の断面図。
【図３】携帯Ｘ線検査装置の完成品及び携帯Ｘ線検査装置の接続ケーブルおよび制御装置。
【図４】
（ａ）従来型のＸ線携帯検査装置の断面概略図。
（ｂ）従来型のＸ線携帯検査装置の正面概略図。
【符号の説明】
２：ファン
３：送風機
４：開口部
５：通風隙間
６：フィン
１０、１１０：携帯Ｘ線検査装置
１２、１１２：Ｘ線管
１３、１１３：窓
１４、１１４：絶縁油
１６、１１６：Ｘ線バルブ
１８、１１８：ベローズ
２０、１２０：ハウジング
２２、１２２：高圧電圧導入部
２４、１２４：蓋
１５０：マイクロプロセッサ−制御器
１５２：制御ケーブル
【図１】
2004319299.tif 000003
【図２】
2004319299.tif 000004
【図３】
2004319299.tif 000005
【図４】
2004319299.tif 000006